(57)【要約】【課題】水抜け性を良好に保ちつつ、網部に対する釣針の絡み（引っ掛かり）を抑制できる玉網を提供する。【解決手段】本発明の一実施形態に係る玉網は、線材２０を編み込んで成る網部２を有する。網部２は、上側の開口部４と閉じられた底部６とを有する略有底筒状に形成され、線材３０の編み込みにより形成される網目の開口面積は、開口部４側よりも底部側６の方が小さい。具体的に、網部２は、所定の開口面積を有する網目の配列から成る開口部側領域２ａと、開口部側領域２ａの網目よりも小さい開口面積を有する網目の配列から成る底部側領域２ｂとを有する。【選択図】図１
2011250703.tif 000002
【特許請求の範囲】
【請求項１】
線材を編み込んで成る網部を有する玉網であって、
前記網部は、上側の開口部と閉じられた底部とを有する略有底筒状に形成され、
線材の編み込みにより形成される網目の開口面積は、前記開口部側よりも前記底部側の方が小さいことを特徴とする玉網。
【請求項２】
前記網部は、所定の開口面積を有する網目の配列から成る開口部側領域と、該開口部側領域の網目よりも小さい開口面積を有する網目の配列から成る底部側領域とを有することを特徴とする請求項１に記載の玉網。
【請求項３】
前記底部側の網目を画定する線材の辺の長さは、前記開口部側の網目を画定する線材の対応する辺の長さよりも短いことを特徴とする請求項１または請求項２に記載の玉網。
【請求項４】
前記網部は、該網部の周方向に網目が配列されて成り、
前記周方向における網目のピッチは、前記開口部側よりも前記底部側の方が小さいことを特徴とする請求項１ないし請求項３のいずれか１項に記載の玉網。
【請求項５】
前記網部は、該網部の周方向に網目が配列されて成り、
前記底部側の前記周方向の一列の網目の数は、前記開口部側の前記周方向の一列の網目の数よりも多いことを特徴とする請求項１ないし請求項３のいずれか１項に記載の玉網。
【発明の詳細な説明】
【技術分野】
【０００１】
本発明は、魚を取り込む際に用いられる玉網に関する。
【背景技術】
【０００２】
一般に、魚釣りで使用される玉網は、魚を取り込むための網部と、網部の開口部に沿って止着される枠部と、手で把持するために前記枠部から延びる柄部とを備えて成る。また、前記網部は、一般に、線材、例えば合成樹脂や木綿等の柔軟な糸を編み込むことにより、前記開口部と閉じられた底部とを有する略有底円筒状に形成される（例えば、特許文献１参照）。
【先行技術文献】
【特許文献】
【０００３】
【特許文献１】実開平６−８１２５８号公報
【発明の概要】
【発明が解決しようとする課題】
【０００４】
ところで、前記網部は、一般に、線材の編み込みにより形成される網目の大きさ（網目の開口面積）あるいは網目のピッチが、網部全体にわたって略同一である。そのため、網目が粗い（網目の開口面積が大きい）と、網部内に取り込んだ魚から釣針を外した際に、その釣針が網部に引っ掛かって絡む場合がある。特に、鮎の友釣りなどにおいては、鮎を網部内に取り込んで鮎から掛け針を外す際にその掛け針が網部に絡み易くなる。
【０００５】
また、網部に釣針が絡み難く（引っ掛かり難く）するには、網部の網目のピッチを細かくすること、あるいは、編み込まれる線材の直径（例えば糸径）を太くして網目の大きさを小さくすることなどが考えられるが、その場合には、網部全体の水抜け（水の通り）が悪くなるという問題が生じる。
【０００６】
本発明は、前記事情に着目してなされたものであり、その目的とするところは、水抜け性を良好に保ちつつ、網部に対する釣針の絡み（引っ掛かり）を抑制できる玉網を提供することにある。
【課題を解決するための手段】
【０００７】
前記課題を解決するために、本発明は、線材を編み込んで成る網部を有する玉網であって、前記網部は、上側の開口部と閉じられた底部とを有する略有底筒状に形成され、線材の編み込みにより形成される網目の開口面積は、前記開口部側よりも前記底部側の方が小さいことを特徴とする。
【０００８】
上記構成によれば、取り込まれる魚が収容される領域であって魚からの釣針の取り外し作業が行なわれる領域である網部の底部側において、その網目の開口面積を小さくしているため、底部側において網部に対する釣針の絡み（引っ掛かり）を抑制できる。また、その一方で、網部の開口部側の網目の開口面積を底部側に比べて大きく設定している（網目の大きさを狭くしていない）ため、網部の水抜け性（水の抜け易さ、通り易さ）を良好に保つことができる。すなわち、網部全体として、水抜け性を良好に保ちつつ、網部に対する釣針の絡み（引っ掛かり）を抑制できる。このような作用効果は、特に鮎の友釣りにおいて有益である。すなわち、鮎の友釣りでは、一般に、図７に示されるように、川に漬かって鮎釣りをする釣人１００が、自分の腰のベルト１０２に玉網１の柄部１０を差し込んで玉網１の網部２の下側半分程度を水中に浸した状態で、取り込んだ鮎を手で掴んで該鮎から掛け針を取り外す作業を行なうが、その際に、網目の開口面積が開口部側よりも底部側の方で小さく設定されていれば、流通する水の中で鮎を弱らせることなく取り込んで針を網に絡むことなく取り外す環境を網部（網部の底部側）内に作り出すことができる。
【発明の効果】
【０００９】
本発明によれば、水抜け性を良好に保ちつつ、網部に対する釣針の絡み（引っ掛かり）を抑制できる玉網を提供できる。
【図面の簡単な説明】
【００１０】
【図１】本発明の一実施形態に係る玉網の概略斜視図である。
【図２】図１の玉網の網部の網目構造（手編み）の一部を示す図である。
【図３】図１の玉網の網部の他の網目構造（機械編み）の一部を示す図である。
【図４】図１の網部を製造するための製造方法の一例を示す概略工程図である。
【図５】図１の網部を製造するための製造方法の他の例を示す概略工程図である。
【図６】網部の変形例を示す図である。
【図７】本発明の一実施形態に係る玉網に取り込んだ魚（鮎）から釣人が釣針（掛け針）を外そうとしている状況を示す概略図である。
【発明を実施するための形態】
【００１１】
以下、添付図面を参照して本発明に係る玉網の実施形態について説明する。
図１には、本発明の好ましい実施形態に係る玉網１が示されている。図示のように、本実施形態に係る玉網１は、略有底筒状の形状を成す網部２と、この網部２の上側の開口部４に取付けられた略円形の枠部８と、支持部９を介してこの枠部８に取付けられた柄部１０とを有する。なお、本実施形態の玉網１は例えば鮎釣用として形成してあり、枠部８は、木材、プラスチックあるいは金属等の好適な材料により例えば３０〜４０ｃｍ程度の枠径を持つ略円形状に形成してある。また、釣り人が手に持ち或いはベルト等に引掛けて携行するのに好適な柄部１０は、木材、プラスチックあるいは金属等の好適な材料により、操作し易い長さ及び太さを持つ所要形状に形成してある。
【００１２】
網部２は、所定の線材３０、例えばナイロンモノフィラメント等の適宜の合成樹脂製の糸を編み込むことにより形成され、略筒状の周側面部７と、周側面部７の下端から例えばすり鉢状に閉じられる或いは円形の閉塞底面として形成される底部６とを有する。そして、網部２は、このような線材３０の編み込みにより、網部２の周方向に網目が配列された網目構造を成す。
【００１３】
網部２の具体的な網目構造が図２に示されている（この図は、手編みによる網目構造を示している）。図示のように、網部２は、該網部２の周方向（図２に矢印Ｄで示される方向）に網目２０が配列された網目構造を成す。具体的には、網部２は、周方向Ｄに向かって網目２０が一列に配列されて成る網目列Ｒ（Ｒ１，Ｒ２，Ｒ３・・・）が、開口部４に隣接するその上端から底部６へ至る下端へ向けて上下に複数段に配列されて構成される。そして、各網目２０は、格子状に編み込まれた線材３０がその交差部３１で結束されることにより、線材３０の４つの辺によって画定される略菱形状の開口部として形成されている。なお、網部２の編み込み形態は任意であり、また、網目２０の形状も菱形にかかわらず任意の形状に設定することができる。
【００１４】
また、網部２は、網目２０の大きさ及び数に関して異なる２つ以上の領域を上下にわたって連続的に或いは段階的に有する。具体的に、本実施形態では、網部２は、網目２０の数が底部６側よりも少なく且つ網目２０が粗い上側の開口部側領域２ａと、網目２０の数が開口部４側よりも多く且つ網目２０が細かい下側の底部側領域２ｂとを有する。また、開口部側領域２ａと底部側領域２ｂとの移行部分では、上側から下側へ向かって網目２０の数が連続的（漸次的）に多くなってもよく（網目２０が連続的に細かくなってもよく）或いは段階的に多くなってもよい（網目２０が段階的に細かくなってもよい）。特に本実施形態では、開口部側領域２ａと底部側領域２ｂとの移行部で一部の交差部３１ａから３本の線材３０を延ばすことにより、それより下側の網目列の網目２０の個数を増やし且つ網目２０の開口面積を小さくしている。すなわち、開口部側領域２ａの網目列Ｒ１は、各交差部３１から２本の線材３０が延びているが、開口部側領域２ａと底部側領域２ｂとの移行部分で一部の交差部３１ａから３本の線材３０を延ばすことにより、それよりも下側の底部側領域２ｂの網目列Ｒ２の網目２０の数を増やすとともに、該網目列Ｒ２の網目２０の開口面積Ａ’を開口部側領域２ａの網目列Ｒ１の網目２０の開口面積Ａよりも小さくしている。また、本実施形態では、更に、底部側領域２ｂ内で段階的に網目数を増やしている。図２では、網目列Ｒ２の下側に更に網目数の多い（網目の開口面積Ａ”が網目列Ｒ２の網目２０の開口面積Ａ’よりも小さい）網目列Ｒ３を形成するために、所定の網目列Ｒ２の一部の交差部３１ａから３本の線材３０を更に延ばしている。
【００１５】
このような網目構造により、本実施形態では、網目２０の開口面積が、開口部４側よりも底部６側の方が小さくなるように設定され、底部６側の網目２０を画定する線材３０の辺の長さＹが、開口部４側の網目２０を画定する線材３０の対応する辺の長さＸよりも短く設定される（１つの網目２０を画定する各辺の長さが略同じである場合には、底部６側の網目２０を画定する線材３０の４辺の長さＹが開口部４側の網目２０を画定する線材３０の４辺の長さＸよりも短く設定され、一方、１つの網目２０を画定する各辺の長さが異なる場合には、底部６側の網目２０を画定する線材３０の辺の長さＹが開口部４側の同じ形状の網目２０を画定する線材３０の対応する辺の長さＸよりも短い）とともに、底部６側の網目列Ｒ２（Ｒ３）の網目のピッチ（交差部３１間の距離）Ｐ２が、開口部４側の網目列Ｒ１の網目のピッチ（交差部３１間の距離）Ｐ１よりも小さく設定される。
【００１６】
なお、本実施形態では、網部２に対する釣針の絡み（引っ掛かり）を底部側領域２ｂで十分に抑制し且つ開口部側領域２ａで良好な水抜け性を確保するため、線材３０の径が例えば０．１５〜０．３ｍｍに設定されるとともに、開口部側領域２ａの網目２０の開口面積Ａが１．８〜２．３ｍｍ2、底部側領域２ｂの網目２０の開口面積Ａ’が０．５〜０．７ｍｍ2（開口面積Ａ”＝０．２〜０．４ｍｍ2）、また、開口部側領域２ａの１つの網目２０の互いに略同一の各辺の長さＸが０．９〜１．５ｍｍ、底部側領域２ｂの網目２０の互いに略同一の各辺の長さＹが０．５〜０．８ｍｍに設定される。また、底部６側の網目列Ｒ２（Ｒ３）の網目のピッチＰ２が０．４〜０．８ｍｍ、開口部４側の網目列Ｒ１の網目のピッチＰ１が０．９〜１．５ｍｍに設定される。
【００１７】
図３には、網部２の網目構造の他の例が示されている（この図は、機械編みによる網目構造を示している）。図示のように、この網目構造においても、網部２は、周方向Ｄに向かって網目が一列に配列されて成る網目列Ｒ（Ｒ１，Ｒ２・・・）が、開口部４に隣接するその上端から底部６へ至る下端へ向けて上下に複数段に配列されて構成される。そして、この場合、各網目列は、上側線材３０Ａと下側線材３０Ｂとから構成され、上側線材３０Ａが周方向に沿ってジグサグに湾曲されることにより複数のループ４２Ａが形成されるとともに、下側線材３０Ｂも同様に周方向に沿ってジグザグに湾曲されることにより複数のループ４２Ｂが形成される。そして、上側線材３０Ａの各ループ４２Ａに下側線材３０Ｂのループ４２Ｂを玉網１の内側から挿通することにより上側線材３０Ａと下側線材３０Ｂとが連結される。
【００１８】
また、下側線材３０Ｂが下方の網目列を形成する上側線材３０Ａとなり、この上側線材３０Ａの各ループ４２Ａに前述と同様にして更に下側線材のループが玉網１の内側から挿通される。このようにして、網部２の上端部から下端部にかけて順次繰り返して編まれることにより、図３に示されるような複数段の網目列構造が形成される。そして、各網目列Ｒ（Ｒ１，Ｒ２・・・）の上側線材３０Ａと下側線材３０Ｂとの間には、上側線材３０Ａによる複数のループ４２Ａと、各ループ４２Ａ同士間に形成された複数の略矩形状の隙間４４とが交互に周方向に沿って並ぶことになり、したがって、これらループ４２Ａおよび隙間４４が略矩形状の網目（開口）２０を構成することになる。
【００１９】
また、図３に示される網部２も、先の図２の構造と同様、網目２０の大きさ及び数に関して異なる２つ以上の領域を上下にわたって連続的に或いは段階的に有する。具体的に、網部２は、網目２０の数が底部６側よりも少なく且つ網目２０が粗い上側の開口部側領域２ａと、網目２０の数が開口部４側よりも少なく且つ網目２０が細かい下側の底部側領域２ｂとを有する。また、開口部側領域２ａと底部側領域２ｂとの移行部分では、上側から下側へ向かって網目２０の数が連続的（漸次的）に多くなってもよく（網目２０が連続的に細かくなってもよく）或いは段階的に多くなってもよい（網目２０が段階的に細かくなってもよい）。特に図３の網部２では、開口部側領域２ａと底部側領域２ｂとの移行部に相当する網目列で、ループ４２Ａ間で直線的に延びるべき一部または全ての上側線材３０’を下側にループ状に引き寄せて新たなループ５２Ａを形成し、このループ５２Ａ内に下側線材を玉網１の内側から新たなループ５２Ｂを形成するようにループ状に挿通させることにより、それより下側の網目列の網目２０の個数を増やし且つ網目２０の開口面積を小さくしている。
【００２０】
そして、このような網目構造により、この図３の網部２では、網目２０の開口面積が、開口部４側よりも底部６側の方が小さくなるように設定され、底部６側の網目２０を画定する線材３０の辺の長さＹが、開口部４側の網目２０を画定する線材３０の対応する辺の長さＸよりも短く設定される（１つの網目２０を画定する各辺の長さが略同じである場合には、底部６側の網目２０を画定する線材３０の４辺の長さＹが開口部４側の網目２０を画定する線材３０の４辺の長さＸよりも短く設定され、一方、１つの網目２０を画定する各辺の長さが異なる場合には、底部６側の網目２０を画定する線材３０の辺の長さＹが開口部４側の同じ形状の網目２０を画定する線材３０の対応する辺の長さＸよりも短い）とともに、底部６側の網目列Ｒ２の網目のピッチ（ループ４２Ｂの左側端（右側端）とループ５２Ｂの左側端（右側端）との間の距離（互いに隣接する一対の網目組の周方向に沿う長さ））Ｐ２が、開口部４側の網目列Ｒ１の網目のピッチ（ループ４２Ａとそれに隣接する隙間４４とから成る網目組の周方向に沿う長さ）Ｐ１よりも小さく設定される。
【００２１】
なお、図２および図３のいずれの網目構造においても、底部側領域２ｂは、網部２の全深さＨの半分以下の深さから底部６にわたって形成され（網部２における底部側領域２ｂの占有率は５０％以下である）、より好ましく底部６から全深さＨの１／３の範囲内にわたって形成される。
【００２２】
図４には、上記構成の網部２の製造方法が示されている。図示のように、網部２は、底部側領域２ｂで網目２０の数が開口部側領域２ａよりも多くなるように線材３０を図２または図３に示されるような編み形態で編み込んだ後、その編み込み構造体５０を金型５２に装着して加熱収縮させることにより癖付けされた筒状の形状が形成される。以下、これについて具体的に説明する。
【００２３】
底部側領域２ｂで網目２０の数が開口部側領域２ａよりも多くなるように線材３０を図２または図３に示されるような編み形態で編み込んで成る編み込み構造体５０は、開口部側領域２ａと底部側領域２ｂとで網目２０のピッチを特に変化させなければ、図４の（ａ）に示されるように底部６側の径が開口部４側よりも大きい形態を成す。このような異形の編み込み構造体５０は、次の加熱工程で、その開口部４側から略円柱状の金型５２の外周に被嵌装着される（図４の（ｂ）参照）。なお、この場合、金型５２の側面の外径は、製造されるべき網部２の周側面部７の外径とほぼ一致している（編み込み構造体５０の底部６が位置される金型先端部位の外径が金型側面の外径よりも若干小さく形成されていてもよい）。
【００２４】
続いて、図４の（ｃ）に示されるように編み込み構造体５０を金型５２の外周に被嵌装着した状態で、金型５２を乾燥炉内に入れることにより金型５２と編み込み構造体５０とを加熱させて、編み込み構造体５０を形成する線材３０を熱収縮させ、編み込み構造体５０を金型形状に成形する。これにより、編み込み構造体５０の収縮した底部６側の網目のピッチが開口部４側よりも狭くなり、図４の（ｄ）に示されるように金型５２から成形体を抜き去ることにより、図２または図３に示されるような網目構造の網部２が得られる。
【００２５】
図５には、網部を製造するための他の製造方法の例が示されている。この製造方法では、網部全体にわたって網目数が同じ筒状の編み込み構造体６０が用意される（図５の（ａ）参照）。そして、この編み込み構造６０は、その開口部４側から先細り形状の金型６２の外周に被嵌装着される（図５の（ｂ）参照）。この場合、金型６２は、筒状の側面部６２ａと、円錐台状の先細り先端部６２ｂとから成る。そして、図５の（ｂ）に示されるように編み込み構造体６０を金型６２の外周に被嵌装着した状態で、金型６２を乾燥炉内に入れることにより金型６２と編み込み構造体６０とを加熱させて、編み込み構造体６０を形成する線材３０を熱収縮させ、編み込み構造体６０を金型形状に成形する。これにより、編み込み構造体６０の底部６側が金型６２の先細り先端部６２ｂに対応して先細り形状となり、収縮した底部６側の網目のピッチが開口部４側よりも狭くなる。その後、図５の（ｃ）に示されるように金型６２から成形体を抜き去ることにより、底部側領域２ｂの網目のピッチが開口部側領域２ａの網目のピッチよりも小さい（網目の数は全体にわたって同じである）網目構造の先細り形状の網部２Ｂが得られる。
【００２６】
以上説明したように、本実施形態の玉網１によれば、取り込まれる魚が収容される領域であって魚からの釣針の取り外し作業が行なわれる領域である網部２の底部６側において、その網目２０の開口面積を小さくしているため、網部２に対する釣針の絡み（引っ掛かり）を抑制できる。また、その一方で、網部２の開口部側の網目２０の開口面積を底部６側に比べて大きく設定している（網目２０の大きさを狭くしていない）ため、網部２０の水抜け性（水の抜け易さ、通り易さ）を良好に保つことができる。すなわち、網部２全体として、水抜け性を良好に保ちつつ、網部に対する釣針の絡み（引っ掛かり）を抑制できる。
【００２７】
以上、本発明の実施形態を説明してきたが、本発明は、前述した実施形態に限定されず、その要旨を逸脱しない範囲で種々変形して実施できることは言うまでもない。例えば、前述した実施形態では、網部２が線材を編み込むことにより形成されているが、図６に示されるように樹脂から形成される筒体（樹脂成形体）に多数の開口２０’，２０”，２０”’を設けることにより網部２Ｂを構成してもよい。この場合、網部２Ｂの開口（網目）２０’，２０”，２０”’の大きさ（開口面積）は、開口部４側から底部６側へ向けて次第に減少されるとともに、開口２０’，２０”，２０”’の数が開口部４側から底部６側へ向けて次第に増大される。
【符号の説明】
【００２８】
１  玉網
２  網部
２ａ  開口部側領域
２ｂ  底部側領域
４  開口部
６  底部
３０  線材
【図１】
2011250703.tif 000003
【図２】
2011250703.tif 000004
【図３】
2011250703.tif 000005
【図４】
2011250703.tif 000006
【図５】
2011250703.tif 000007
【図６】
2011250703.tif 000008
【図７】
2011250703.tif 000009